(57)【要約】【課題】庫内スペースを効率よく活用できる解凍保冷庫を提供する。【解決手段】冷却ユニット１０と循環ユニット５と解凍保冷室２とを備え、前記冷却ユニット１０は冷凍サイクルを構成する圧縮機１１と凝縮器１２とを備えると共に、蒸発器１４を有する蒸発器ボックス１３を備え、前記循環ユニット５は前記解凍保冷室２の空気を前記蒸発器ボックス１３内に循環するダクト２３を備えると共に、前記蒸発器ボックス１３を経た空気を前記解凍保冷室２に循環するためのファン３５を備えた。【選択図】図４
2020133980.tif 000002
【特許請求の範囲】
【請求項１】
冷却ユニットと循環ユニットと解凍保冷室とを備え、
前記冷却ユニットは冷凍サイクルを構成する圧縮機と凝縮器とを備えると共に、蒸発器を有する蒸発器ボックスを備え、
前記循環ユニットは前記解凍保冷室の空気を前記蒸発器ボックス内に循環するダクトを備えると共に、前記蒸発器ボックスを経た空気を前記解凍保冷室に循環するためのファンを備えたことを特徴とする解凍保冷庫。
【請求項２】
前記冷却ユニットと前記循環ユニットと前記解凍保冷室とを本体の内部に横並びに一体に備えたことを特徴とする請求項１に記載の解凍保冷庫。
【請求項３】
前記循環ユニット内を第１仕切り板により上下に仕切り、前記ダクトを前記第１仕切り板の下部の空間に配置し、前記ファンを前記第１仕切り板の上部の空間に配置したことを特徴とする請求項１又は２に記載の解凍保冷庫。
【請求項４】
前記冷却ユニットの上部に前記蒸発器ボックスを配置したことを特徴とする請求項１乃至３の何れかに記載の解凍保冷庫。
【請求項５】
前記蒸発器ボックス内を第２仕切り板により上下に仕切り、前記蒸発器を前記第２仕切り板により仕切られた下部室に配置したことを特徴とする請求項１乃至４の何れかに記載の解凍保冷庫。
【請求項６】
前記ファンの吸い込み部を前記第２仕切り板により仕切られた上部室に臨ませたことを特徴とする請求項５に記載の解凍保冷庫。
【発明の詳細な説明】
【技術分野】
【０００１】
本発明は、冷凍食品などの冷凍品を庫内で解凍する解凍保冷庫に関する。
【背景技術】
【０００２】
従来、アンダーテーブル型の解凍保冷庫が提案されている（特許文献１）。
この種の解凍保冷庫では、本体内の解凍庫の左右に、本体の左右の第１・第２側壁のほぼ全面にわたって第１ダクトと第２ダクトとがそれぞれ設けられており、解凍庫の天井側に、第１・第２ダクトの上端どうしを連通接続する天井ダクトが設けられている。第１ダクトは、本体の一方の第１側壁と、多数の吸気孔が全面的に設けられて解凍庫に臨む第１内側壁との間に形成されており、第１ダクトの内部が、中央に開口を有する中仕切りによって、内側の第１吸気路と、天井ダクトに通じる外側の第２吸気路とに仕切られている。
【０００３】
第２吸気路には、解凍庫の空気を第１内側壁の吸気孔、第１吸気路ついで中仕切りの中央開口を経て第２吸気路に吸引したのち、天井ダクトに送るファンが、前記中央開口に臨む状態で配されている。第２ダクトは、本体の他方の第２側壁と、多数の送気孔が全面的に設けられて解凍庫に臨む第２内側壁との間に形成されており、第２ダクトの内部が、全面的に多数の通気孔を有する仕切り板によって、天井ダクトに通じる外側の第１送気路と、内側の第２送気路とに仕切られている。
【０００４】
第２送気路には、天井ダクト、第１送気路ついで仕切り板の通気孔を介して送られてくる解凍庫空気を暖める加温ユニットが設けられ、加温ユニットで暖められた暖気が、送気孔を介して第２内側壁の全面からほぼ均一状態で解凍庫に吹き出る。
【先行技術文献】
【特許文献】
【０００５】
【特許文献１】特開２００５−２１８４１５号公報
【発明の概要】
【発明が解決しようとする課題】
【０００６】
しかしながら、上述した従来の解凍保冷庫は、解凍庫空気を循環させるために本体内の解凍庫の左右に第１ダクトと第２ダクトとをそれぞれ設ける必要があり、庫内スペースが限定されてしまい、未だ改善の余地があった。
そこで、本発明の目的は、従来技術が有する問題を解消し、庫内スペースを効率よく活用できる解凍保冷庫を提供することにある。
【課題を解決するための手段】
【０００７】
本発明は、冷却ユニットと循環ユニットと解凍庫とを備え、前記冷却ユニットは冷凍サイクルを構成する圧縮機と凝縮器とを備えると共に、蒸発器を有する蒸発器ボックスを備え、前記循環ユニットは前記解凍庫の空気を前記蒸発器ボックス内に循環するダクトを備えると共に、前記蒸発器ボックスを経た空気を前記解凍庫に循環するためのファンを備えたことを特徴とする。
【発明の効果】
【０００８】
本発明では、冷却ユニットと循環ユニットと解凍庫とを備え、冷却ユニットは冷凍サイクルを構成する圧縮機と凝縮器とを備えると共に、蒸発器を有する蒸発器ボックスを備え、循環ユニットは解凍庫の空気を蒸発器ボックス内に循環するダクトを備えると共に、蒸発器ボックスを経た空気を解凍庫に循環するためのファンを備えたため、十分な風量の確保と庫内スペースの確保を両立できる。
【図面の簡単な説明】
【０００９】
【図１】本発明の解凍保冷庫の一実施形態を示す斜視図
【図２】前扉を外した状態における解凍保冷庫の斜視図
【図３】前扉を外した状態における解凍保冷庫の正面図
【図４】図１のＩＶ−ＩＶ縦断面図
【発明を実施するための形態】
【００１０】
第１の発明における解凍保冷庫は、冷却ユニットと循環ユニットと解凍庫とを備え、前記冷却ユニットは冷凍サイクルを構成する圧縮機と凝縮器とを備えると共に、蒸発器を有する蒸発器ボックスを備え、前記循環ユニットは前記解凍庫の空気を前記蒸発器ボックス内に循環するダクトを備えると共に、前記蒸発器ボックスを経た空気を前記解凍庫に循環するためのファンを備えたことを特徴とする。
この発明によれば、十分な風量と庫内スペースの確保を両立できる。
【００１１】
第２の発明における解凍保冷庫は、第１の発明において、前記冷却ユニットと前記循環ユニットと前記解凍庫とを本体の内部に横並びに一体に備えた。
この発明によれば、冷却ユニットと循環ユニットと解凍庫とを本体の内部に横並びに備えたため、ダクトの距離が短くなり十分な風量を確保できると共に、庫内スペースを有効に活用できる。
【００１２】
第３の発明における解凍保冷庫は、第１又は第２の発明において、前記循環ユニット内を第１仕切り板により上下に仕切り、前記ダクトを前記第１仕切り板の下部の空間に配置し、前記ファンを前記第１仕切り板の上部の空間に配置した。
この発明によれば、解凍庫内の空気が循環ユニットの下部から吸い込まれ、循環ユニットの上部から吐き出されるため、解凍庫内を効率よく温調できる。
【００１３】
第４の発明における解凍保冷庫は、第１の発明から第３の発明において、前記冷却ユニットの上部に前記蒸発器ボックスを配置した。
この発明によれば、冷却ユニット内のレイアウトが好適となり、冷却ユニットを縦長のボックスにすることができる。
【００１４】
第５の発明における解凍保冷庫は、第１の発明から第４の発明において、前記蒸発器ボックス内を第２仕切り板により上下に仕切り、前記蒸発器を前記第２仕切り板により仕切られた下部の室に配置した。
この発明によれば、循環ユニットの下部から吸い込まれた空気が冷却ユニットの蒸発器ボックス内の蒸発器に至るまでの到達距離を短くすることができ、十分な風量を確保でき、庫内スペースを有効に活用できる。
【００１５】
第６の発明における解凍保冷庫は、第５の発明において、前記ファンの吸い込み部を前記第２仕切り板により仕切られた上部の室に臨ませた。
この発明によれば、第２仕切り板より下部の室を通った空気が、上部の室内に至りここで整流されてファンの吸い込み部に吸い込まれるため、十分な風量を確保でき、庫内スペースを有効に活用できる。
【００１６】
以下、本発明の一実施形態について図面を参照しながら説明する。なお、本実施形態によって本発明が限定されるものではない。図１は解凍保冷庫１の斜視図である。図２は前扉４を外した状態における解凍保冷庫１の斜視図である。図３は前扉４を外した状態における解凍保冷庫１の正面図である。
【００１７】
解凍保冷庫１には、図２に示すように、解凍保冷室２と、解凍保冷室２に上下多段に配置された多数の棚３と、解凍保冷室２へ空気を循環供給するための循環ユニット５とが備えられている。解凍保冷室２は前面が開口し、この開口には、図１に示すように、前扉４が開閉自在に取り付けられている。解凍保冷室２の上部には、天板７が備えられている。
【００１８】
解凍保冷庫１は循環ユニット５の横隣に冷却ユニット１０を備えている。冷却ユニット１０と循環ユニット５と解凍保冷室２とは解凍保冷庫１の本体の内部に、この順で左右方向（横並び）に一体に設けられている。
【００１９】
冷却ユニット１０は、図４に示すように、下部に、圧縮機１１と凝縮器１２とを備えている。冷却ユニット１０の上部には、断熱材（不図示）を有する蒸発器ボックス１３が設けられている。蒸発器ボックス１３の室１３Ａ内には蒸発器１４が配置されている。圧縮機１１と凝縮器１２と蒸発器１４とは冷媒配管により接続され冷凍サイクルを構成する。
【００２０】
循環ユニット５は箱型であり、解凍保冷室２の内部に配置されている。循環ユニット５は、解凍保冷室２と冷却ユニット１０との間に介在している。循環ユニット５の内部は第１仕切り板２１により上下に仕切られている。
第１仕切り板２１の下部の空間は空気が流通するダクト２３となっている。ダクト２３の壁面のうち、解凍保冷室２に対向する壁面２３Ａと解凍保冷室２の前扉４に対向する壁面２３Ｂには吸い込みグリル２４が設けられている。ダクト２３は、第１仕切り板２１の近傍に設けられた第１循環開口２６を介して蒸発器ボックス１３の室１３Ａ内に連通している。
【００２１】
蒸発器ボックス１３の上部には、第２仕切り板３１が配置されている。蒸発器ボックス１３の室１３Ａ内は、第２仕切り板３１により下部室４０と上部室４１とに仕切られている。
蒸発器１４は、下部室４０に配置されている。
第２仕切り板３１には第２循環開口３２が形成され、第２循環開口３２を介して下部室４０と上部室４１とが連通する。蒸発器１４は、解凍前の冷凍品や解凍後の食材を保冷するために、ダクト２３を介して送られる解凍保冷室２の空気を解凍に適した温度とすると共に、解凍保冷室２の空気を冷却する機能も有している。
蒸発器１４は除霜の必要があり、蒸発器１４の下側にはドレンパン３３が配置される。ドレンパン３３にはドレンホース３４が接続され、ドレンホース３４は解凍保冷庫１の底板を貫通し外部に導出されている。
【００２２】
蒸発器ボックス１３の上部室４１にはファン３５の吸い込み部３５Ａが臨んでいる。ファン３５は、循環ユニット５の第１仕切り板２１により仕切られた上部の空間Ｓに設置される。ファン３５は、ラジアルファンとされている。
ファン３５の吐き出し部３５Ｂは、循環ユニット５の壁面に形成された吐き出し開口３７を通じて解凍保冷室２に連通する。ファン３５は、蒸発器ボックス１３を経た空気を解凍保冷室２に循環する。
吸い込みグリル２４からダクト２３に至り、第１循環開口２６から蒸発器ボックス１３の下部室４０に至り、下部室４０から第２循環開口３２を経て上部室４１に至り、ファン３５を経て解凍保冷室２に循環する経路が、解凍保冷室２から解凍保冷室２までの循環経路５０である。循環経路５０は板金製の板材を繋ぎ合わせてダクト形式により形成されている。
【００２３】
次に、本実施形態の作用を説明する。
図４において、矢印Ｙは、空気の循環する様子を示す。空気の循環はファン３５の運転により開始される。解凍保冷室２の棚３の上には解凍前の冷凍品や解凍後の食材などが載置される。圧縮機１１が運転され、ファン３５が運転されると、蒸発器１４により温調された空気が、ファン３５から解凍保冷室２の上部に向けてほぼ水平に吹き出される。この温調された空気により棚３の上に載置された解凍前の冷凍品が解凍され、あるいは解凍後の食材であれば保冷される。
【００２４】
空気は解凍保冷室２内を上から下に向けて流れ、循環ユニット５の吸い込みグリル２４を通して、ほぼ水平にダクト２３内に流入する。次に、空気はダクト２３の第１循環開口２６を介して蒸発器ボックス１３の室１３Ａの下部室４０に流入し、下部室４０に配置された蒸発器１４により温調される。温調された空気は第２仕切り板３１により整流されて第２循環開口３２を通して上部室４１に流入する。上部室４１にはファン３５の吸い込み部３５Ａが臨んでおり、温調された空気がファン３５により解凍保冷室２の上部の空間に吹き出される。
【００２５】
以上説明したように、本実施の形態によれば、解凍保冷庫１は、冷却ユニット１０と循環ユニット５と解凍保冷室２とを備え、冷却ユニット１０は、冷凍サイクルを構成する圧縮機１１と凝縮器１２とを備え、かつ蒸発器１４を有する蒸発器ボックス１３を備え、循環ユニット５は、解凍保冷室２の空気を蒸発器ボックス１３内に循環するダクト２３を備え、かつ蒸発器ボックス１３を経た空気を解凍保冷室２に循環するためのファン３５を備えた。
そのため、従来の解凍保冷庫のように、本体内の解凍庫の左右に第１ダクトと第２ダクトとをそれぞれ設ける必要がなく、解凍保冷室２の収納スペースを広くできる。したがって、庫内スペースを効率よく活用できる。ファン３５が冷却ユニット１０の蒸発器１４に近い位置に配置されるため、長いダクトを用いて解凍庫に空気を循環させるものに比べて、十分な風量を確保できる。
【００２６】
また、本実施形態によれば、冷却ユニット１０と循環ユニット５と解凍保冷室２とが、本体の内部に横並びに一体に設けられたため、循環ユニット５のダクト２３の距離が短くなるため、十分な風量を確保できる。
【００２７】
また、本実施形態によれば、解凍保冷庫１は、循環ユニット５内を第１仕切り板２１により上下に仕切り、ダクト２３を第１仕切り板２１の下部の空間に配置し、ファン３５を第１仕切り板２１の上部の空間に配置した。
そのため、解凍保冷室２内の空気の循環が循環ユニット５の下部から吸い込まれ、循環ユニット５の上部から吐き出される循環となるため、解凍保冷室２内を効率よく温調できる。
【００２８】
また、本実施形態によれば、解凍保冷庫１は、冷却ユニット１０の上部に蒸発器ボックス１３を配置した。
そのため、冷却ユニット１０内のレイアウトが好適となり、冷却ユニット１０を縦長のコンパクトなボックスにすることができる。
【００２９】
本実施形態によれば、解凍保冷庫１は、蒸発器ボックス１３内を第２仕切り板３１により上下に仕切り、蒸発器１４を第２仕切り板３１により仕切られた下部室４０に配置した。
そのため、循環ユニット５の下部から吸い込まれた空気が冷却ユニット１０の蒸発器ボックス１３内の蒸発器１４に至るまでの到達距離を短くすることができ、十分な風量を確保することができ、庫内スペースを有効に活用できる。
【００３０】
また、本実施形態によれば、解凍保冷庫１は、ファン３５の吸い込み部３５Ａを第２仕切り板３１により仕切られた上部室４１に臨ませた。
そのため、第２仕切り板３１より下部の下部室４０を通った空気が、上部の上部室４１内に至りここで整流されてファン３５の吸い込み部３５Ｂに吸い込まれるため、十分な風量を確保することができ、庫内スペースを有効に活用できる。
【００３１】
本発明の解凍保冷庫１は、換言すると、庫内に収納された物品の解凍および／または保冷を行う解凍保冷庫であって、前記物品を収納するための解凍保冷室と、前記解凍保冷室に空気を送風するファンと、前記解凍保冷室に送風する空気の温度を任意の温度に熱交換する冷却ユニットとを備え、前記解凍保冷室は直方体形状（扉閉時）に形成され、前記ファンが前記解凍保冷室へ空気を送風するための送風口と前記解凍保冷室の空気を吸入するための吸入口とが設けられた壁面と、前記ファンと前記吸入口とを仕切る第１仕切り板とを有し、前記壁面および前記第１仕切り板は、前記解凍保冷室を形成する前記直方体形状の任意の一面である第１の面の側にのみ設けられた解凍保冷庫である。
本発明の解凍保冷庫はこの構成を備えることにより、解凍保冷庫の内部に風を循環させるための風の流れを規定（制限）する、あるいは風路を誘導するために必要な部材であるダクトを壁部の吸入口が形成された一部と第１仕切り板とで形成することができる。解凍保冷庫２には、ダクトをこの１箇所のみ設置するだけで解凍および／または保冷のために必要な空気循環の風路を形成させることができるため、庫内スペースを広く確保することができる。
【００３２】
ここで、解凍保冷庫１は、棚３に載置された（収納された）冷凍食品を所定の温度で解凍する機能を備えている。さらに、解凍保冷庫１がその庫内温度を棚３に載置された冷蔵食品や冷凍食品などの物品を保存に適した任意の温度に維持する保冷機能を備えても良い。
【００３３】
解凍保冷室２は、前扉４を閉じた状態においては直方体に囲まれた内部空間を形成することとなる。また、ファン３５が解凍保冷室２へ冷却ユニット１０にて熱交換された空気を送風するための送風口である吐き出し部３５Ｂと解凍保冷室２の空気を吸入するための吸入口である吸込み部３５Ａとが設けられた壁面２３およびファン３５と吸入口（吸い込み部３５Ａ）とを仕切る第１仕切り板２１は、この直方体形状である解凍保冷室２を正面視した際の左側面の側に設けられる。
【００３４】
解凍保冷室２内を循環する空気の風路は、任意の一面の側から送出された空気（風）がこの任意の一面に対向する直方体形状の対向面（本実施形態では直方体形状の右側面）へ届き、この対向面に衝突して流れた風が他の面（本実施形態では主に直方体形状の下面）に沿って進み、任意の一面の側に届き、吸入口（吸い込み部３５Ａ）を通過して冷却ユニット１０へ至るものである。
【００３５】
なお、本実施形態においては、ファン３５が解凍保冷室２内へ向けて空気を送風する構成としていたが、ファン３５が空気を吸入して上述とは逆の流れで風路を形成するようにしても良い。
【００３６】
また、本発明の解凍保冷庫において、前記第１の面は前記解凍保冷室を形成する前記直方体の側面である。
【００３７】
上述した解凍保冷室２を形成する直方体形状の第１の面（任意の一面）は、本実施形態においては解凍保冷室２内の左側面としているが、この任意の一面は他の側面、すなわち右側面でもよく上面でも下面でもよく、背面でも前面でもよい。
ただし、任意の一面を本実施形態の上面または下面にした場合、任意の一面、対向面、他の面、対向面の順に流れる風路が形成されればよいが、本実施形態で用いた棚３の配置では棚３や棚３に載置される物品が風路を遮断する場合もあるため、この場合は風路を確保できる構成にする必要がある。
【００３８】
また、任意の一面を背面または前面とした場合も同様に、任意の一面、対向面、他の面、対向面の順に流れる風路が形成されるが、ファン３５を駆動させている最中に前扉４を開いた場合、ファン３５から送出された空気がそのまま外部へ放出されるため、解凍保冷室２内の温度変化の影響が大きくなり、安定した運転を妨げる可能性が高い。
したがって、一般的に多く用いられている、棚面が水平のものへの応用としては、第１の面を側面とする構成が適しているといえる。
【００３９】
また、本発明の解凍保冷庫は、前記壁面および前記第１仕切り板が前記解凍保冷室と前記冷却ユニットとの間に設けられた構成である。
この構成を有することにより、解凍保冷室内を循環する空気が循環し終えてから冷却ユニットを経て再度循環し始めるまでの風路を短く設定することができるため、解凍保冷庫１を小型化することができる。
【００４０】
また、本発明の解凍庫は、庫内に収納された物品の解凍および／または保冷を行う解凍保冷庫であって、前記物品を収納するための解凍保冷室と、前記解凍保冷室の内部に空気を循環させる循環ユニットと、前記解凍保冷室の内部に循環させる空気の温度を任意の温度に熱交換する蒸発器を有した冷却ユニットとを備え、前記解凍保冷室は直方体形状に形成され、前記循環ユニットは、前記解凍保冷室に空気を送風するファンと、前記ファンが前記解凍保冷室へ空気を送風するための送風口および前記解凍保冷室の空気を吸入するための吸入口が設けられた壁面と、前記ファンと前記吸入口をとを仕切る第１仕切り板とを有し、前記冷却ユニットと前記回答保冷室とが前記循環ユニットを挟んで横方向に並んで配置され、前記蒸発器が前記冷却ユニットの上部に配置され、前記ファンが前記循環ユニットの上部に配置され前記壁面が前記解凍保冷室の側に配置され前記送風口と前記吸入口との間に前記第１仕切り板が配置された解凍保冷庫である。
本発明の解凍保冷庫はこの構成を備えることにより、ファンと仕切り板とダクトとを一方向に並べて配置することができ、ファンの幅（厚み）の分をダクトのスペースとして活用できるため、簡単な構成で解凍保冷庫の省スペース化を実現することができる。
【符号の説明】
【００４１】
１  解凍保冷庫
２  解凍保冷室
３  棚
４  前扉
５  循環ユニット
１０  冷却ユニット
１１  圧縮機
１２  凝縮器
１３  蒸発器ボックス
１４  蒸発器
２１  第１仕切り板
２３  ダクト
２４  吸い込みグリル
３１  第２仕切り板
３５  ファン
３５Ａ  吸い込み部
３５Ｂ  吐き出し部
【図１】
2020133980.tif 000003
【図２】
2020133980.tif 000004
【図３】
2020133980.tif 000005
【図４】
2020133980.tif 000006